(57)【要約】  接触強度によりインピーダンスを可変する圧力パッドを備え、各インピーダンスに対応した圧力データを周期的に生成する圧力センサ部と、圧力データを受信すると最大圧力データ値を有する圧力パッドに対応するボタン情報を生成するボタン情報発生部と、圧力データを受信すると最大圧力データ値を有する圧力パッドの位置値を取得した後に、以前取得した位置値と比べて接触位置の移動値を計算し、計算した移動値を有するポインティング情報を生成するポインティング情報発生部と、圧力センサ部から伝送された圧力データが以前と相違していて、ボタン入力値よりも大きい値を有する場合は圧力データをボタン情報発生部に伝送し、ポインティング入力値よりも小さい値を有する場合は圧力データをポインティング情報発生部に伝送する動作選択部と、を具備することで、１つの入力装置によって多様な種類の入力動作を行なうことができる。
2009500740.tif 000002
【特許請求の範囲】
【請求項１】
接触強度によりインピーダンスを可変する第１圧力パッドを備え、前記第１圧力パッドのそれぞれのインピーダンスに対応する値を有する第１圧力データを周期的に生成して出力する圧力センサ部と、
前記第１圧力データを受信すると、最大の圧力データ値を有する前記第１圧力パッドに対応するボタン情報を生成して出力するボタン情報発生部と、
前記第１圧力データを受信すると、最大の圧力データ値を有する前記第１圧力パッドの位置値を取得した後に、以前に取得した位置値と比べて接触位置の移動値を計算し、前記計算された移動値を有するポインティング情報を生成して出力するポインティング情報発生部と、
前記圧力センサ部から伝送される前記第１圧力データが以前と相違していてボタン入力値よりも大きい値を有する場合、前記第１圧力データを前記ボタン情報発生部に伝送し、前記圧力センサ部から伝送される前記第１圧力データが以前と相違していてポインティング入力値よりも小さい値を有する場合、前記第１圧力データを前記ポインティング情報発生部に伝送する動作選択部と、
を備えることを特徴とするコンテンツ提供装置の入力装置。
【請求項２】
前記ポインティング情報発生部は、
移動感知時間以内に前記第１圧力データが連続受信される場合のみ前記ポインティング情報を生成することを特徴とする請求項１に記載のコンテンツ提供装置の入力装置。
【請求項３】
前記圧力センサ部は、
キーパッド上に配置される前記第１圧力パッドと、
前記第１圧力パッドのそれぞれに対応し、前記対応する第１圧力パッドのインピーダンスに対応する値を有する第１圧力データをそれぞれ生成する複数の第１圧力データ発生部と、
を備えることを特徴とする請求項１に記載のコンテンツ提供装置の入力装置。
【請求項４】
前記ポインティング情報発生部は、
前記キーパッドの両端に配置された前記第１圧力パッド間の相関関係によって移動補正値を設定し、前記計算された移動値が移動限界値よりも大きければ前記移動補正値を用いて前記計算された移動値を補正した後、前記補正された移動値を有する前記ポインティング情報を生成することを特徴とする請求項３に記載のコンテンツ提供装置の入力装置。
【請求項５】
前記圧力センサ部は、
接触強度によりインピーダンスを可変する第２圧力パッドをさらに備え、
前記第２圧力パッドのそれぞれのインピーダンスに対応する値を有する第２圧力データを周期的にさらに生成して出力することを特徴とする請求項１に記載のコンテンツ提供装置の入力装置。
【請求項６】
前記圧力センサ部は、
前記キーパッド上に配置される前記第２圧力パッドと、
前記第２圧力パッドのそれぞれに対応し、前記対応する第２圧力パッドのインピーダンスに対応する値を有する第２圧力データをそれぞれ生成する複数の第２圧力データ発生部と、
をさらに備えることを特徴とする請求項３または請求項５に記載のコンテンツ提供装置の入力装置。
【請求項７】
前記コンテンツ提供装置の入力装置は、
前記圧力センサ部から以前と相違する値を有する第２圧力データが受信されると、相違する値を生成する第２圧力パッドを取得した後、前記取得された第２圧力パッドと前記取得された第２圧力パッドの圧力データの値とに対応する設定情報を生成して出力する設定情報発生部をさらに備えることを特徴とする請求項５に記載のコンテンツ提供装置の入力装置。
【請求項８】
前記動作選択部は、
複数の第１圧力パッドのうち所定個数を兼用パッドに設定し、前記兼用パッドの第１入力データのうち少なくとも１つが、ポインティング入力値よりも大きく、かつボタン入力値よりも小さい値を有する場合、前記兼用パッドの第１入力データを前記設定情報発生部に伝送する機能をさらに備え、
前記設定情報発生部は、
前記動作選択部から前記兼用パッドの第１入力データが受信されると、以前と相違する値を生成する前記兼用パッドを取得した後、前記取得された兼用パッドと前記取得された兼用パッドの圧力データの値とに対応する設定情報を生成して出力する機能をさらに備えることを特徴とする請求項７に記載のコンテンツ提供装置の入力装置。
【請求項９】
接触強度によりインピーダンスを可変する第１圧力パッドを備え、前記第１圧力パッドに対するユーザの接触強度によりボタン情報を生成したりポインティング情報を生成したりするユーザ入力部と、
前記ボタン情報を受信すると、前記ボタン情報によるデータ選択動作を行い、前記ポインティング情報を受信すると、コンテンツのディスプレイモードを確認した後に、スクロールモードなら前記ポインティング情報により画面をスクロールし、カーソル移動モードなら前記ポインティング情報により前記画面にディスプレイされたカーソルを移動させる制御部と、
を備えることを特徴とするコンテンツ提供装置。
【請求項１０】
前記ユーザ入力部は、
前記第１圧力パッドを備え、前記第１圧力パッドのそれぞれのインピーダンスに対応する値を有する第１圧力データを周期的に生成して出力する圧力センサ部と、
前記第１圧力データを受信すると、最大の圧力データ値を有する前記第１圧力パッドに対応するボタン情報を生成して出力するボタン情報発生部と、
前記第１圧力データを受信すると、最大の圧力データ値を有する前記第１圧力パッドの位置値を取得した後に、以前に取得した位置値と比べて接触位置の移動値を計算し、前記計算された移動値を有するポインティング情報を生成して出力するポインティング情報発生部と、
前記圧力センサ部から伝送される前記第１圧力データが以前と相違していてボタン入力値よりも大きい値を有する場合、前記第１圧力データを前記ボタン情報発生部に伝送し、前記圧力センサ部から伝送される前記第１圧力データが以前と相違していてポインティング入力値よりも小さい値を有する場合、前記第１圧力データを前記ポインティング情報発生部に伝送する動作選択部と、
を備えることを特徴とする請求項９に記載のコンテンツ提供装置。
【請求項１１】
前記ポインティング情報発生部は、
移動感知時間以内に前記第１圧力データが連続受信される場合のみ前記ポインティング情報を生成することを特徴とする請求項１０に記載のコンテンツ提供装置。
【請求項１２】
前記圧力センサ部は、
キーパッド上に配置される前記第１圧力パッドと、
前記第１圧力パッドのそれぞれに対応し、前記対応する第１圧力パッドのインピーダンスに対応する値を有する第１圧力データをそれぞれ生成する複数の第１圧力データ発生部と、
を備えることを特徴とする請求項１０に記載のコンテンツ提供装置。
【請求項１３】
前記ポインティング情報発生部は、
前記ユーザ入力部の両端に配置された前記第１圧力パッド間の相関関係によって移動補正値を設定し、前記計算された移動値が移動限界値よりも大きければ前記移動補正値を用いて前記計算された移動値を補正した後、前記補正された移動値を有する前記ポインティング情報を生成することを特徴とする請求項１２に記載のコンテンツ提供装置。
【請求項１４】
前記圧力センサ部は、
接触強度によりインピーダンスを可変する第２圧力パッドをさらに備え、
前記第２圧力パッドのそれぞれのインピーダンスに対応する値を有する第２圧力データを周期的にさらに生成して出力することを特徴とする請求項１０に記載のコンテンツ提供装置。
【請求項１５】
前記圧力センサ部は、
前記ユーザ入力部上に配置される前記第２圧力パッドと、
前記第２圧力パッドのそれぞれに対応し、前記対応する第２圧力パッドのインピーダンスに対応する値を有する第２圧力データをそれぞれ生成する複数の第２圧力データ発生部と、
をさらに備えることを特徴とする請求項１２または請求項１４に記載のコンテンツ提供装置。
【請求項１６】
前記コンテンツ提供装置の入力装置は、
前記圧力センサ部から以前と相違する値を有する第２圧力データが受信されると、相違する値を生成する第２圧力パッドを取得した後、前記取得された第２圧力パッドと前記取得された第２圧力パッドの圧力データの値とに対応する設定情報を生成して出力する設定情報発生部をさらに備えることを特徴とする請求項１４に記載のコンテンツ提供装置。
【請求項１７】
前記動作選択部は、
複数の第１圧力パッドのうち所定個数を兼用パッドで設定し、前記兼用パッドの第１入力データのうち少なくとも１つが、ポインティング入力値よりも大きく、かつボタン入力値よりも小さい値を有する場合、前記兼用パッドの第１入力データを前記設定情報発生部に伝送する機能をさらに備え、
前記設定情報発生部は、
前記動作選択部から前記兼用パッドの第１入力データが受信されると、以前と相違する値を生成する前記兼用パッドを取得した後、前記取得された兼用パッドと前記取得された兼用パッドの圧力データの値とに対応する設定情報を生成して出力する機能をさらに備えることを特徴とする請求項１６に記載のコンテンツ提供装置。
【請求項１８】
複数のキーボタン及び複数の接触センサを備え、複数のボタン情報及び複数の接触信号を生成するユーザ入力部と、
前記複数の接触信号に応答して接触位置または接触位置移動方向を把握し、スクロールモード時には接触位置または接触位置移動方向に対応するスクロール情報を生成し、前記カーソル移動モード時には接触位置に対応するカーソル移動情報を生成する接触センサ制御部と、
コンテンツのディスプレイ形式によってディスプレイモードを設定し、前記スクロールモード時には前記接触センサ制御部を介して生成された前記スクロール情報によって画面をスクロールし、前記カーソル移動モード時には前記接触センサ制御部を介して生成される前記カーソル移動情報によって前記画面にディスプレイされたカーソルを移動させるメイン制御部と、
を備えることを特徴とするコンテンツ提供端末機。
【請求項１９】
前記接触センサ制御部は、
データ選択条件をさらに備え、
前記データ選択条件を満足する前記複数の接触信号を受信すると、前記複数の接触信号に応答してデータ選択情報を生成する機能をさらに備えることを特徴とする請求項１８に記載のコンテンツ提供端末機。
【請求項２０】
前記メイン制御部は、
前記データ選択情報に応答し、前記画面の特定位置にディスプレイされたデータを選択する機能をさらに備えることを特徴とする請求項１９に記載のコンテンツ提供端末機。
【請求項２１】
前記ユーザ入力部は、
前記複数の接触センサを、前記複数のキーボタンが配置された領域を除いた残りの領域にマトリックス状に配置することを特徴とする請求項１８に記載のコンテンツ提供端末機。
【請求項２２】
前記ユーザ入力部は、
前記複数の接触センサを、前記複数のキーボタンが配置された領域を除いた残りの領域に十字状に配置することを特徴とする請求項１８に記載のコンテンツ提供端末機。
【請求項２３】
前記ユーザ入力部は、
前記複数の接触センサを、前記複数のキーボタンが配置された領域を除いた残りの領域に円状に配置することを特徴とする請求項１８に記載のコンテンツ提供端末機。
【請求項２４】
前記ユーザ入力部は、
前記複数の接触センサを、前記複数のキーボタンの表面上に配置することを特徴とする請求項１８に記載のコンテンツ提供端末機。
【請求項２５】
前記ユーザ入力部は、
前記複数の接触センサを、前記複数のキーボタンが配置された領域を除いた残りの領域に一列状に配置することを特徴とする請求項１８に記載のコンテンツ提供端末機。
【請求項２６】
前記コンテンツ提供端末機は、
音を出力するスピーカをさらに備え、
前記複数の接触センサが前記スピーカ周辺に配置されることを特徴とする請求項１８に記載のコンテンツ提供端末機。
【請求項２７】
前記ユーザ入力部は、
接触強度によりインピーダンスを可変する１つ以上の圧力パッドをさらに備え、
圧力パッドのそれぞれのインピーダンスに対応する１つ以上のスクロール信号またはポインティング信号を生成することを特徴とする請求項１８に記載のコンテンツ提供端末機。
【請求項２８】
キーパッドに配置されてユーザの接触強度によりインピーダンスを可変する第１及び第２圧力パッドを備えるコンテンツ提供装置の入力装置の動作方法において、
前記第１圧力パッドのそれぞれのインピーダンスに対応する値を有する複数の第１圧力データを周期的に生成する圧力データ生成ステップと、
新たに取得した前記第１圧力データが以前に取得した前記第１圧力データと相違していれば、少なくとも１つの前記第１圧力データがボタン入力値よりも大きい値を有するかどうかを確認する判断ステップと、
前記判断ステップの判断結果、少なくとも１つの前記第１圧力データがボタン入力値よりも大きい値を有する場合、最大の値を有する第１圧力データを有する第１圧力パッドを取得した後、前記取得された第１圧力パッドに対応するボタン情報を生成して出力するボタン情報生成ステップと、
前記判断ステップの判断結果、前記第１圧力データがすべてポインティング入力値以下の値を有する場合、最大値を有する前記第１圧力データを有する第１圧力パッドの位置値を取得して、以前に取得した位置値と比べて接触位置の移動値を計算した後、前記計算された移動値を有するポインティング情報を生成して出力するポインティング情報ステップと、
を備えることを特徴とするコンテンツ提供装置の入力装置の動作方法。
【請求項２９】
前記ポインティング情報ステップは、
前記判断ステップの判断結果、前記第１圧力データのすべてがポインティング入力値以下の値を有する場合、最大値を有する前記第１圧力データを有する前記第１圧力パッドの位置値を取得する位置値取得ステップと、
前記新しい位置値が移動感知時間内に取得されたのかどうかを確認する時間確認ステップと、
前記新しい位置値が移動感知時間内に取得されていれば、前記新しい位置値と以前の位置値とを比べて接触位置の移動値を計算する移動値計算ステップと、
前記計算された移動値を有する前記ポインティング情報を生成するポインティング情報生成ステップと、
を備えることを特徴とする請求項２８に記載のコンテンツ提供装置の入力装置の動作方法。
【請求項３０】
前記ポインティング情報生成ステップは、
前記ユーザ入力部の両端に配置された前記第１圧力パッド間の相関関係によって移動補正値を設定する移動補正値設定ステップと、
前記計算された移動値が移動限界値よりも大きければ前記移動補正値を用いて前記計算された移動値を補正する移動値補正ステップと、
をさらに備えることを特徴とする請求項２９に記載のコンテンツ提供装置の入力装置の動作方法。
【請求項３１】
前記入力装置の動作方法は、
前記第２圧力パッドのそれぞれのインピーダンスに対応する値を有する第２圧力データを周期的に生成する圧力データ生成ステップと、
新たに取得した前記第２圧力データが以前に取得した前記第２圧力データと相違していれば、以前と相違する値を有する第２圧力データと前記圧力データを有する前記第２圧力パッドとに対応する設定情報を生成するステップと、
をさらに備えることを特徴とする請求項２８に記載のコンテンツ提供装置の入力装置の動作方法。
【発明の詳細な説明】
【技術分野】
【０００１】
本発明はコンテンツ提供装置に関し、特に、複数の圧力センサまたは複数の接触センサを用いて多様な種類の入力動作を感知するようにするコンテンツ提供装置の入力装置及びその動作方法（ａ  ｉｎｐｕｔ  ｄｅｖｉｃｅ  ｆｏｒ  ｃｏｎｔｅｎｔｓ  ｐｒｏｖｉｄｉｎｇ  ｄｅｖｉｃｅ  ａｎｄ  ａ  ｏｐｅｒａｔｉｎｇ  ｍｅｔｈｏｄ  ｏｆ  ｔｈｅｒｅｏｆ）に関するものである。
【背景技術】
【０００２】
コンテンツ提供装置は、携帯電話、ＭＰ３プレーヤ、ＰＭＰプレーヤ、及び電子辞書などのようにコンテンツ情報を保存してユーザが要請するコンテンツ情報をディスプレイ装置またはオーディオ装置によって出力するなどし、ユーザが携帯できるように構成された装置である。
従来のコンテンツ提供装置は、小容量のコンテンツ情報を保存し、簡単なディスプレイ形式のみで保存されたコンテンツ情報をディスプレイしていたが、最近コンテンツ提供装置は技術の発達によりデスクトップ(desktop)コンピュータと同一レベルのコンテンツ(contents)情報を保存してディスプレイするようになった。
そのため、コンテンツ提供装置もデスクトップコンピュータ並みの多様な種類の入力装置（キーボード、及びマウス）を備えるのが好ましいが、ユーザの携帯性を重視するために、装置特性上、コンテンツ提供装置が備えることのできる入力装置は、数と大きさが限定されるものであった。
【０００３】
その一方、特許文献１では、図１のように圧力パッド１６１、入力信号発生部１４０、基準信号発生部１５０、圧力信号発生部１６０、及び圧力データ発生部１７０を備えて、１つの圧力パッドに対する接触強度または圧力強度を感知することができる圧力センサを公開している。
また、特許文献２では、図２のように基準信号発生部１０と、第１信号発生部２１と、第２信号発生部２２と、接触信号発生部３０と、フィルタ部４０を備え、１つの接触パッドＰＡＤに対する接触可否を感知することができる接触センサを公開している。
そこで、本発明では、前記のような圧力センサ及び接触センサを用いて、入力装置の大きさはそのまま維持しながら、より多様な形態の入力動作をサポートすることができる入力装置を提示することによって、コンテンツ提供装置が備えなければならない入力装置の種類を画期的に減少できるようにした。
【特許文献１】韓国特許出願公開第２００５−１１４４１４号明細書
【特許文献２】韓国特許出願公開第２００５−０２３３８２号明細書
【発明の開示】
【発明が解決しようとする課題】
【０００４】
したがって、本発明の目的は、複数の圧力センサまたは接触センサによって入力装置を具現し、入力装置の数及び大きさを増加させずに、より多様な形態の入力動作をサポートすることができるコンテンツ提供装置の入力装置及びその動作方法を提供することにある。
【課題を解決するための手段】
【０００５】
前記の目的を達成するために、本発明の一実施形態によるコンテンツ提供装置の入力装置は、接触強度によりインピーダンスを可変する第１圧力パッドを備え、第１圧力パッドのそれぞれのインピーダンスに対応する値を有する第１圧力データを周期的に生成して出力する圧力センサ部と、第１圧力データを受信すると最大の圧力データ値を有する第１圧力パッドに対応するボタン情報を生成して出力するボタン情報発生部と、第１圧力データを受信すると最大の圧力データ値を有する第１圧力パッドの位置値を取得した後に、以前に取得した位置値と比べて接触位置の移動値を計算し、計算した移動値を有するポインティング情報を生成して出力するポインティング情報発生部と、圧力センサ部から伝送される第１圧力データが以前と相違していてボタン入力値よりも大きい値を有する場合、第１圧力データをボタン情報発生部に伝送し、圧力センサ部から伝送される第１圧力データが以前と相違していてポインティング入力値よりも小さい値を有する場合、第１圧力データをポインティング情報発生部に伝送する動作選択部と、を備えることを特徴とする。
【０００６】
前記の目的を達成するために、本発明の第１形態によるコンテンツ提供装置は、接触強度によりインピーダンスを可変する第１圧力パッドを備え、第１圧力パッドに対するユーザ(user)の接触強度によりボタン(button)情報を生成したりポインティング情報を生成したりするキーパッドと、ボタン情報を受信するとボタン情報によるデータ選択動作を行い、ポインティング情報を受信するとディスプレイモードを確認した後に、スクロール(scroll)モードならポインティング情報により画面のスクロール動作を行い、カーソル(cursor)移動モードならポインティング情報によって画面にディスプレイされたカーソルの移動動作を行う制御部と、を備えることを特徴とする。
【０００７】
前記の目的を達成するために、本発明の第２形態によるコンテンツ提供装置は、複数のキーボタン及び複数の接触センサを備え、複数のボタン情報及び複数の接触信号を生成するユーザ入力部と、複数の接触信号に応答して接触位置または接触位置移動方向を把握し、スクロールモード時には接触位置または接触位置移動方向に対応するスクロール情報を生成し、カーソル移動モード時には接触位置に対応するカーソル移動情報を生成する接触センサ制御部と、コンテンツのディスプレイ形式によりディスプレイモードを設定し、スクロールモード時には接触センサ制御部を介して生成されたスクロール情報によって画面をスクロールし、カーソル移動モード時には接触センサ制御部を介して生成されたカーソル移動情報により画面にディスプレイされたカーソルを移動させるメイン制御部と、を備えることを特徴とする。
【０００８】
前記の目的を達成するために、本発明のコンテンツ提供装置の入力装置の動作方法は、キーパッドに配置されてユーザの接触強度によりインピーダンスを可変する第１及び第２圧力パッドを備えるコンテンツ提供装置の入力装置の動作方法において、第１圧力パッドのそれぞれのインピーダンスに対応する値を有する複数の第１圧力データを周期的に生成する圧力データ生成ステップと、新たに取得した第１圧力データが以前に取得した第１圧力データと相違していれば、少なくとも１つの第１圧力データがボタン入力値よりも大きい値を有するかどうかを確認する判断ステップと、判断ステップの判断結果、少なくとも１つの第１圧力データがボタン入力値よりも大きい値を有する場合、最大の値を有する第１圧力データを有する第１圧力パッドを取得した後に、取得した第１圧力パッドに対応するボタン情報を生成して出力するボタン情報生成ステップと、判断ステップの判断結果、第１圧力データがすべてポインティング入力値以下の値を有する場合、最大の値を有する第１圧力データを有する第１圧力パッドの位置値を取得し、以前に取得した位置値と比べて接触位置の移動値を計算した後に、計算した移動値を有するポインティング情報を生成して出力するポインティング情報生成ステップと、を備えることを特徴とする。
【発明の効果】
【０００９】
以上で説明したように、本発明の入力装置は、複数の圧力センサまたは複数の接触センサを用いて多様な入力動作を行うことによって、入力装置の活用を大きく増進する。そのため、本発明の入力装置を備えるコンテンツ提供装置は、１つの入力装置を介してより多様な入力動作を感知することができ、ユーザがデータをより簡単に検索及び選択することができる。
また、本発明の入力装置は、複数のキーボタンを複数の圧力センサに代替したり、複数の接触センサを複数のキーボタンに配置したりし、残った領域または複数のキーボタンの表面上に配置することで、入力装置の大きさを増加していない。
【発明を実施するための最良の形態】
【００１０】
以下、添付の図面を参照して本発明のコンテンツ提供装置の入力装置及びその動作方法を説明する。
図３は、本発明の実施形態による入力装置の内部ブロック図であり、図３の入力装置は図１の圧力センサを用いて具現される。
図３を参照すると、本発明の入力装置は、複数の圧力パッド(pad)ｐ０〜ｐ９，ｐ＊，ｐ＃，ｐｕ，ｐｌを備えるキーパッド(keypad)２１０、複数の圧力パッドｐ０〜ｐ９，ｐ＊，ｐ＃，ｐｕ，ｐｌと一対一に対応する複数の圧力データ発生部２２１〜２２ｎを備える動作感知部２２０、動作選択部２３０、設定情報発生部２４０、ボタン情報発生部２５０、及びポインティング情報発生部２６０を備える。
【００１１】
キーパッド２１０は、ボタン機能及びポインティング機能を同時に行うための複数の圧力パッドｐ０〜ｐ９，ｐ＊，ｐ＃（以下、共通パッドとする）と、設定機能を行うための複数の圧力パッドｐｕ，ｐｌ（以下、設定パッドとする）とを備え、複数の共通パッド及び設定パッドｐ０〜ｐ９，ｐ＊，ｐ＃，ｐｕ，ｐｌのそれぞれはユーザの接触強度によりインピーダンスを可変する。
【００１２】
動作感知部２２０は複数の共通パッド及び設定パッドｐ０〜ｐ９，ｐ＊，ｐ＃，ｐｕ，ｐｌと一対一に対応する複数の圧力データ発生部２２１〜２２ｎを備え、各圧力データ発生部２２１〜２２ｎはサンプリング(sampling)周期によって対応する共通パッドまたは設定パッドｐ０〜ｐ９，ｐ＊，ｐ＃，ｐｕ，ｐｌのインピーダンスを周期的に取得し、取得したインピーダンスに対応する値を有する圧力データを生成して出力する。
このとき、本発明の圧力パッドｐ０は、図１のパッド１６１として具現され、圧力データ発生部２２１は、入力信号発生部１４０、基準信号発生部１５０、圧力信号発生部１６０、及び圧力データ発生部１７０として具現される。すなわち、一対の圧力パッドｐ０と圧力データ発生部２２１とは、図１の圧力センサ(sensor)の１つとして具現される。
【００１３】
動作選択部２３０は、動作感知部２２０から伝送される共通パッドの圧力データを分析し、圧力データの伝送経路を選択する。すなわち、動作選択部２３０は新たに受信された圧力データが以前に受信された圧力データと相違していて、少なくとも１つの圧力データがボタン入力値よりも大きい値を有する場合には、ボタン情報発生部２５０に新たに受信された圧力データを伝送し、新たに受信された圧力データが以前に受信された圧力データと相違していてすべての圧力データがポインティング入力値よりも小さい値を有する場合には、ポインティング情報発生部２６０に新たに受信された圧力データを伝送する。一方、新たに受信された圧力データが以前に受信された圧力データと同一である場合にはユーザが以前の接触状態をそのまま維持していると判断して、ボタン情報発生部２５０及びポインティング情報発生部２６０にいかなるデータも伝送しない。
このとき、ボタン入力値及びポインティング入力値は、共通パッドをボタンとして利用するか、またはポインティング装置として利用するかを判断するための基準値であり、ボタン入力値がポインティング入力値よりも大きいという条件下で、ユーザの必要に応じて設定可能な値である。
【００１４】
設定情報発生部２４０は、以前の圧力データと相違する値を有する設定パッドｐｕまたはｐｌの圧力データが動作感知部２２０から受信されると、他の第２圧力データを生成する第２圧力パッドを取得し、取得された第２圧力パッド及びその圧力データ値に対応する設定情報を出力する。
上記の実施形態では、設定パッドを２つだけにて説明したが、必要に応じて多様な形態として追加することができることは当然である。
【００１５】
ボタン情報発生部２５０は、複数の共通パッドｐ０〜ｐ９，ｐ＊，ｐ＃のそれぞれに対応するボタン情報を保存する。そして、動作選択部２３０から圧力データを受信すると、最大の圧力データ値を有する共通パッドをユーザが接触したパッドとして取得した後、このパッドに対応するボタン情報を生成する。
【００１６】
ポインティング情報発生部２６０は、複数の共通パッドｐ０〜ｐ９，ｐ＊，ｐ＃のそれぞれの位置値を図４に示したマッピング関係によって設定して保存する。そして、移動感知時間内に複数の圧力データが連続して受信されると、新たに受信された圧力データのうちで最大値を有する圧力データを有する共通パッドをユーザが接触したパッドとして設定し、その位置値を取得した後に、以前に取得した位置値と比べて接触位置の移動値を計算し、計算した移動値を有するポインティング情報を生成する。
このとき、移動感知時間は、ユーザがポインティング(pointing)動作を行うために複数の圧力センサに対する接触位置を移動しなければならない最大時間であって、ユーザの必要に応じて設定可能な時間である。
【００１７】
図５は、本発明のポインティング情報発生部２６０のポインティング情報生成方法をより詳しく説明するための概念図である。
ポインティング情報発生部２６０は、複数の共通パッドｐ０〜ｐ９，ｐ＊，ｐ＃の圧力データが受信されると、最大の圧力データ値を有する共通パッドを接触パッドに設定し、その位置値を取得する。そして、移動感知時間内に接触パッドの位置値が連続して取得されたら、現在の取得された位置値と以前に取得した位置値を互いに比べて接触位置の移動値を計算した後、計算した移動値を有するポインティング情報を生成する。
【００１８】
このとき、ポインティング情報発生部２６０は、現在の取得された位置値が（ｘ，ｙ）であり、以前に取得した位置値が（ｘ０，ｙ０）なら、接触位置の移動値を（ｘ−ｘ０，ｙ−ｙ０）の数式によって計算する。
例えば、ユーザが図５に示したように、一列配置された共通パッドｐ２，ｐ５，ｐ８，ｐ０を移動感知時間内に連続して接触すると、ポインティング情報発生部２６０は接触パッドの位置値として（１，３）、（１，２）、（１，１）、（１，０）を連続して取得する。そこで、ポインティング情報発生部２６０は、ｐ２からｐ５への移動時に（０，１）の移動値を、ｐ５からｐ８への移動時に（０，−１）の移動値を、ｐ８からｐ０への移動時に（０，−１）の移動値を有するポインティング情報を生成する。すなわち、（０，−１）の移動値を有するポインティング情報を連続して生成することになる。
【００１９】
一方、ポインティング情報発生部２６０は、移動感知時間が経過するように新しい位置値を取得することができなければ、ポインティング動作を終了してポインティング情報は生成しない。
例えば、ユーザが移動感知時間内に一列配置された共通パッドｐ２，ｐ５，ｐ８を連続して接触した後、移動感知時間が経過するようにｐ８共通パッドに対する接触状態をそのまま維持すれば、ポインティング情報発生部２６０はｐ２からｐ５への移動時とｐ５からｐ８への移動時とのみに（０，−１）の移動値を有するポインティング情報をそれぞれ生成し、ｐ８接触状態維持時には、それ以上のポインティング情報を生成しない。
【００２０】
しかし、ユーザが再びｐ８とｐ０を連続して接触し、それによって移動感知時間内に新しい位置値が取得されれば、ポインティング情報発生部２６０は再び（０，−１）の移動値を有するポインティング情報を生成して出力する。
そして、ポインティング情報発生部２６０は、キーパッドの両端に配置された共通パッドｐ１，ｐ２，ｐ３，ｐ４，ｐ６，ｐ７，ｐ９，ｐ＊，ｐ０，ｐ＃間の相関関係によって移動補正値をあらかじめ設定し、同一方向性を維持しながらキーパッドの両端間に一列配置された共通パッドを繰り返して接触する場合には同一方向性を有するポインティング情報を継続的に生成することになる。
【００２１】
このとき、ポインティング情報発生部２６０は、入力装置がｎ×ｍ個のマトリックス状に配置される共通パッドを備える場合、接触位置のｘ軸の移動値がｘ軸の移動限界値、すなわち、ｎ−１以上ならｎを加え、ｙ軸の移動値がｙ軸の移動限界値、すなわち、ｍ−１以上ならｍを加えるように移動補正値を設定する。
【００２２】
例えば、ユーザが図６に示したように、キーパッドの最上端と最下端との間に一列配置され、（１，３）、（１，２）、（１，１）、（１，０）の位置値を有する共通パッドｐ２，ｐ５，ｐ８，ｐ０を連続して接触した後、再び同一共通パッドｐ２，ｐ５，ｐ８，ｐ０を連続して接触すると、ユーザの接触位置が最下端領域から最上端領域に急激に変化する区間（接触位置がｐ０からｐ２に変化する場合）が発生することになる。そうしたら、ポインティング情報発生部２６０はこの区間で移動値を（０，２）として計算した後、移動補正値を介して調整して（０，−１）の移動値を最終的に取得する。結局、ポインティング情報発生部２６０は（０，−１）の移動値を有するポインティング情報のみを継続的に生成することになる。
【００２３】
以下、図７を参照して本発明の入力装置の動作方法を説明する。
動作感知部２２０は、サンプリング周期によって複数の共通パッド及び設定パッドｐ０〜ｐ９，ｐ＊，ｐ＃，ｐｕ，ｐｌのそれぞれに対応する複数の圧力データを新たに取得し、複数の共通パッドｐ０〜ｐ９，ｐ＊，ｐ＃の圧力データを動作選択部２３０に伝送し、複数の設定パッドｐｕ，ｐｌの圧力データを設定情報発生部２４０に伝送する（Ｓ１）。
設定情報発生部２４０は、新たに受信された複数の設定パッドの圧力データが以前に受信された複数の設定パッドの圧力データと相違するかどうかを確認する（Ｓ２）。ステップＳ２の確認の結果、新たに受信された複数の設定パッドの圧力データが以前に受信された複数の設定パッドの圧力データと相違していれば、以前と相違する値を有する圧力データとそれを有する設定パッドに対応する設定情報を生成してコンテンツ提供装置の本体に出力する（Ｓ３）。
【００２４】
同様に、動作選択部２３０も新たに受信された複数の共通パッドの圧力データが以前に受信された複数の共通パッドの圧力データと相違するかどうかを確認する（Ｓ４）。
ステップＳ４の確認の結果、新たに受信された複数の共通パッドの圧力データが以前に受信された複数の共通パッドの圧力データと同一であれば、動作選択部２３０はユーザがいずれのパッドにも接触されてなかったか、または以前の接触状態をそのまま維持していると判断し、新しい圧力データを取得するために再びステップＳ１に進入する。
一方、ステップＳ４の確認の結果、新たに受信された複数の共通パッドの圧力データが以前に受信された複数の共通パッドの圧力データと相違していれば、新たに受信された複数の共通パッドの圧力データのそれぞれをボタン入力値及びポインティング入力値と比べる（Ｓ５）。
【００２５】
ステップＳ５の比較結果、少なくとも１つ以上の圧力データがボタン入力値よりも大きければ、動作選択部２３０はユーザが共通パッドをボタンとして利用していると判断し、入力装置の動作モードをボタンモードに設定した後、新たに受信された圧力データをボタン情報発生部２５０に伝送し（Ｓ６）、ボタン情報発生部２５０は最大の圧力データ値を有する共通パッドをユーザが接触した共通パッドとして取得した後、取得された共通パッドに対応するボタン情報を生成する（Ｓ７）。
一方、ステップＳ５の比較結果、すべての圧力データがポインティング入力値よりも小さければ、動作選択部２３０は入力装置の動作モードをカーソル移動モードに設定した後、新たに受信された圧力データをポインティング情報発生部２６０に伝送し（Ｓ８）、ポインティング情報発生部２６０は最大の圧力データ値を有する共通パッドをユーザが接触した共通パッドとして取得し、その位置値を取得する（Ｓ９）。
そして、ポインティング情報発生部２６０は、現在のポインティング動作が正常なポインティング動作なのかを把握するために新しい位置値が移動感知時間以内に取得したのかを再確認する（Ｓ１０）。
【００２６】
ステップＳ１０の確認の結果、新しい位置値が移動感知時間以内に取得されたら、現在のポインティング動作が正常であることを確認し、ステップＳ９を介して新しい位置値と以前の位置値とを比べて接触位置の移動値を計算し（Ｓ１１）、計算した移動値を有するポインティング情報を生成する（Ｓ１２）。
一方、ステップＳ１０の確認の結果、新しい位置値が移動感知時間以内に取得されることができなかったら、現在のポインティング動作が非正常であることを確認し、いずれのポインティング情報も生成しない（Ｓ１３）。
前記のステップによって、設定情報、ボタン情報、またはポインティング情報を生成した後、入力装置は再びステップＳ１ないしステップＳ３を繰り返し遂行しながら、複数の共通パッド及び設定パッドｐ０〜ｐ９，ｐ＊，ｐ＃，ｐｕ，ｐｌの圧力データを新たに取得し、それによる設定情報、ボタン情報、またはポインティング情報を継続的に生成する。
【００２７】
このように本発明の入力装置は複数の圧力パッドを備え、これによって、より多様な入力動作を感知し、より多様な種類の入力情報を生成する。
また、上記の説明では、好適な実施形態における共通パッドとして動作するパッドと設定パッドとして動作するパッドとを互いに分離して備えているが、必要によっては１つの圧力パッドが共通パッドと設定パッドとの機能を同時に行うこともできることは当然である。
【００２８】
そのために、動作選択部２３０は、複数の共通パッドｐ０〜ｐ９，ｐ＊，ｐ＃のうち、所定個数を兼用パッドｐ２，ｐ８，ｐ４，ｐ６として設定する。この兼用パッドｐ２，ｐ８，ｐ４，ｐ６の入力データのうちの少なくとも１つが、ポインティング入力値よりも大きく、かつボタン入力値よりも小さい値を有する場合、動作選択部２３０は、兼用パッドｐ２，ｐ８，ｐ４，ｐ６の入力データを設定情報発生部２４０に伝送し、設定情報発生部２４０は、動作選択部２３０から兼用パッドｐ２，ｐ８，ｐ４，ｐ６の入力データを受信すると、以前と相違する値を生成する兼用パッドを取得した後、この兼用パッドと取得された兼用パッドの圧力データの値とに対応する設定情報を生成して出力する。
【００２９】
例えば、ユーザがポインティング入力強度より小さい接触強度で所定個数の共通パッドを連続して接触する場合には、ポインティング情報を連続して生成し、ポインティング入力強度よりは大きくてボタン入力強度よりは小さい接触強度で兼用パッドｐ２，ｐ８，ｐ４，ｐ６のうちの１つを接触すると、接触されたパッドに対応する方向に対するスクロール速度を調節するための設定情報を生成する。
そこで、本発明の入力装置は、複数の共通パッドｐ０〜ｐ９，ｐ＊，ｐ＃によってポインティング情報を生成するようにするとともに、兼用パッドｐ２，ｐ８，ｐ４，ｐ６によって上下左右のそれぞれの方向に対するスクロール速度を調節する設定情報も生成することができる。
【００３０】
図８は、図３の入力装置を備えるコンテンツ提供装置の内部ブロック図である。ここで、説明の便宜のために携帯電話機に具現されるコンテンツ提供装置を用いて説明する。
図８を参照すると、携帯電話機は、図３の入力装置として具現するユーザ入力部２００、メイン制御部３００、メモリ部４００、モニタ５１０及びスピーカ５２０で構成されたデータ出力部５００を備える。
【００３１】
ユーザ入力部２００の複数の共通パッドは、従来の携帯端末機の一般ボタン（数字ボタン、通話ボタン、及び通話終了ボタンなど）と同一形態で配置し、設定パッドは従来の設定ボタン（ボリューム調節ボタンまたは画面明るさの調節ボタンなど）と同一形態で配置する。従って、ユーザが接触するパッドの種類及び接触方法によって、ボタン情報、ポインティング情報、または設定情報を生成してメイン制御部３００に出力する。
【００３２】
メイン制御部３００は、ユーザ入力部２００から伝送される設定情報、ボタン情報、またはポインティング情報によってユーザの入力動作を感知し、それに対応する設定動作、データ選択動作、またはポインティング動作を行うことによって基本的な電話動作を行うか、コンテンツ提供動作を行うかする。特に、メイン制御部３００は、コンテンツ情報のディスプレイ時にポインティング情報が受信されると、現在のディスプレイモードを確認し、スクロールモードであればポインティング情報によるスクロール動作を行って画面を上下または左右にスクロールさせ、カーソル移動モードであればポインティング情報によるカーソル移動動作を行ってカーソルの位置を移動させる。
【００３３】
例えば、メイン制御部３００がユーザ入力部２００からコンテンツ提供装置のボリュームを所定値に落とすためのボリューム設定情報を受信すると、これに対応する設定動作を行ってコンテンツ提供装置のボリュームを所定値に調整し、数字「０」を選択するためのボタン情報を受信すると、これに対応するデータ選択動作を行って数字「０」を圧力データ値として取得するとともに、数字「０」を画面にディスプレイしてユーザが所望する数字を選択したのかを確認することになる。そして、ポインティング情報が入力された場合には、まず現在のディスプレイモードを確認し、スクロールモードならポインティング情報に対応する方向に画面をスクロールし、カーソル移動モードならポインティング情報に対応するモニタの特定位置にカーソルを位置させる。
【００３４】
このとき、スクロールモードは、図９のように選択するコンテンツ情報が上下または左右のみにディスプレイされるモードであって、カーソル移動モードは、図１０のように選択するコンテンツ情報が上下左右にディスプレイされて、カーソルの位置（すなわち、データ選択位置）も上下左右に移動可能なモードである。勿論、メイン制御部３００は、スクロールモード及びカーソル移動モードを多様な方法に設定することができ、これによるコンテンツのディスプレイ方式も多様な方法に設定することができることは当然である。
【００３５】
メモリ４００は、携帯電話機の電話及びコンテンツ提供動作に必要な各種プログラム、メニュー、及びコンテンツを提供するためのデータを保存し、データ出力部５００のモニタ５１０は、メイン制御部３００の制御下でメイン制御部から伝送されるデータをユーザが認識することができる文字または図形に変換した後、画面にディスプレイし、データ出力部５００のスピーカ５２０は、メイン制御部３００の制御下でメイン制御部からデータをユーザが認識することができる音の形態に変換して出力する。
従って、図８のコンテンツ提供装置も、ユーザの接触強度によりボタン情報だけでなく、ポインティング情報も提供することができる入力装置２００を備えることによって、ユーザがより多様かつ容易な方式でコンテンツ提供装置内に保存されるコンテンツ情報を検索して選択するようになる。
【００３６】
上記のように、本発明の一実施形態によるコンテンツ提供装置は、入力装置を圧力センサによって具現して入力装置の種類と大きさを増加させないで、より多様な入力動作を感知してより多様な種類の情報を受けられるようにする。
また、本発明は図１１ないし１５に示すように、入力装置を複数のキーボタンと接触センサとして具現し、これによっても、図３、９、及び１０に示す入力装置と同一の機能及び効果を提供する。
【００３７】
続いて、図１１ないし図１５を参照すると、本発明の複数のキーボタンは、従来のようにマトリックス状に配置され、複数の接触センサは、複数のキーボタンが配置された領域を除く残りの領域に、または複数のキーボタンの表面上に多様な形態で配置することになる。
図１１において、接触センサの配置領域はドットで示した領域である。
図１１は、複数の接触パッドを、複数のキーボタンが配置された領域を除く残りの領域にマトリックス状に配置した場合であり、図１２は、複数の接触センサを残った領域に十字状に配置した場合であり、図１３は、複数の接触センサを残った領域に一列状に配置した場合であり、図１４は、複数の接触センサを残った領域に円状に配置した場合であり、図１５は、複数の接触センサのそれぞれをキーボタンの表面上に配置した場合を、それぞれ示す。
【００３８】
このように、本発明の入力装置は、複数の接触パッドをキーパッド領域または複数のキーボタンの表面上に配置することによって、入力装置の大きさを増加させずに、入力装置に複数のキーボタンだけでなく複数の接触センサも備えることができるようにしたものである。
すなわち、本発明の入力装置は、入力装置の種類と大きさを増加させずに、より多様な入力動作を感知し、より多様な種類の情報を受けることができる。
図１１ないし図１５では、複数の接触センサをキーパッド上に配置する場合を説明したが、コンテンツ提供装置の製品特性により図１６のようにキーパッドではない他の領域（例えば、スピーカの周辺領域）にも図１１ないし図１５と同一原理によって接触パッドを配置することができることは当然である。
【００３９】
図１７は、図１１ないし図１５の入力装置を備えるコンテンツ提供装置の一実施形態による内部ブロック図である。
図１７を参照すると、入力装置は、ユーザ入力部６００、接触センサ制御部６１０、メイン制御部６２０、メモリ４００、並びにモニタ５１０及びスピーカ５２０で構成されたデータ出力部５００を備え、図８に示すコンテンツ提供装置と同じくコンテンツを図９のようにスクロールモードにディスプレイしたり、図１０のようにカーソル移動モードにディスプレイしたりする。
【００４０】
ユーザ入力部６００は、図１１ないし図１５のように配置される複数のキーボタンＫＢ１〜ＫＢｎと、複数の接触センサＴＳ１〜ＴＳｎとを備え、各キーボタンＫＢ１〜ＫＢｎはユーザにより押されると、これを感知してボタン情報を生成してメイン制御部６２０に伝送し、各接触センサＴＳ１〜ＴＳｎはユーザが接触すると、これを感知して接触信号を生成して接触センサ制御部６１０に伝送する。このときの接触センサは図２の接触センサとして具現される。
【００４１】
接触センサ制御部６１０は、複数の接触センサＴＳ１〜ＴＳｎのそれぞれの位置値及び接触位置、または接触位置の移動方向に対応するスクロール方向及びカーソル移動位置を設定して保存し、複数の接触センサＴＳ１〜ＴＳｎから伝送される複数の接触信号を分析し、現在の接触位置または接触位置の移動方向を取得する。そして、メイン制御部６２０のディスプレイモードがスクロールモードなら取得された接触位置または接触位置に対応するスクロール方向の情報を有するスクロール情報を生成してメイン制御部６２０に出力し、カーソル移動モードならカーソル移動位置に対する情報を有するカーソル移動情報を生成してメイン制御部６２０に出力する。
【００４２】
例えば、スクロールモード時にユーザが図１８に表示された矢印方向に移動しながら複数の接触センサを連続して接触すると、接触センサ制御部６１０は複数の接触信号を介してこれを感知し、矢印方向に画面がスクロールされるようにするスクロール情報を生成する。一方、カーソル移動モード時にユーザが図１８のＡ領域に配置された複数の接触センサを接触すると、接触センサ制御部６１０は複数の接触信号を介してこれを感知し、画面にディスプレイされたカーソルがＡ領域に対応する特定位置に移動されるようにするカーソル移動情報を生成する。
【００４３】
また、接触センサ制御部６１０は画面の特定位置にディスプレイされたデータを直接選択するためのデータ選択条件をさらに備え、データ選択条件を満足する複数の接触信号が伝送されると画面の特定位置にディスプレイされたデータを選択するようにするデータ選択情報を生成する。
例えば、データ選択条件が同一領域（例えば、図１８のＡ領域）を二回連続して接触する条件である場合において、ユーザがＡ領域を二回連続して接触すると、接触センサ制御部６１０は複数の接触信号を介してこれを感知し、Ａ領域に対応する画面の特定位置にディスプレイされたデータを選択するようにするデータ選択情報を生成する。
また、接触センサ制御部６１０は、ユーザの必要によって複数の接触センサＴＳ１〜ＴＳｎのそれぞれの位置値、接触位置または接触位置の移動方向に対応するスクロール方向、カーソル移動位置、及びデータ選択条件を再設定することができる。
【００４４】
メイン制御部６２０は、コンテンツ提供装置の全般的な動作を制御して、ユーザの要請に従ってコンテンツを提供する。特に、メイン制御部６２０は、コンテンツ情報のディスプレイ時には現在のディスプレイモードを確認して接触センサ制御部６１０に通知した後に、スクロールモードであれば接触センサ制御部６１０からスクロール情報を受信してスクロール動作を行って、カーソル移動モードであれば接触センサ制御部６１０からカーソル移動情報を受信してカーソル移動動作を行う。また、ディスプレイモードに関係なく接触センサ制御部６１０からデータ選択情報を受信すると、データ選択情報に応答してデータ選択動作を行って画面の特定位置にディスプレイされたデータを選択する。
【００４５】
メモリ４００は、コンテンツ提供装置の全般的な動作を制御して行うための各種プログラム、メニュー、及びコンテンツを提供するためのデータを保存し、データ出力部５００のモニタ５１０は、メイン制御部６２０の制御下でメイン制御部６２０から伝送されるデータをユーザが認識することができる文字または図形に変換した後、画面にディスプレイし、データ出力部５００のスピーカ５２０は、メイン制御部６２０の制御下でメイン制御部６２０から伝送されるデータをユーザが認識することができる音の形態に変換して出力する。
【００４６】
以下では、図１９を参照して本発明によるコンテンツ提供装置の動作を説明する。
まず、メイン制御部６２０は、ユーザによりディスプレイするデータが選択されると、データをディスプレイするとともに、データのディスプレイ形式によってコンテンツ提供装置のディスプレイモードを設定する（Ｓ３１）。
ステップＳ３１を介してコンテンツ提供装置のディスプレイモードがスクロールモードに設定されると（Ｓ３２）、メイン制御部６２０は接触センサ制御部６１０にコンテンツ提供装置のディスプレイモードがスクロールモードであることを通知し、接触センサ制御部６１０はユーザ入力部６００をモニタリングしてユーザの接触が発生するかどうかを監視する（Ｓ３３）。
ステップＳ３３において、ユーザの接触によりユーザ入力部６００に複数の接触信号が発生すると、接触センサ制御部６１０は複数の接触信号がデータ選択条件を満足するかどうかを確認する（Ｓ３４）。
【００４７】
ステップＳ３４の確認の結果、データ選択条件を満足すると、接触センサ制御部６１０は複数の接触信号を分析してユーザの接触位置及び接触位置移動方向を把握し、ユーザの接触位置及び接触位置移動方向に対応するスクロール方向を取得してスクロール情報を生成する（Ｓ３５）。
その後、メイン制御部６２０はステップＳ３５を介して発生するスクロール情報に応答して画面をスクロールする（Ｓ３６）。
一方、ステップＳ３４の確認の結果、データ選択条件を満足すると、接触センサ制御部６１０は複数の接触信号を分析してユーザの接触位置を把握し、接触位置に対応するデータ選択情報を生成する（Ｓ３７）。
その後、メイン制御部６２０はステップＳ３７を介して発生したデータ選択情報に応答して、接触位置に対応する画面の特定位置にディスプレイされたデータを選択する（Ｓ３８）。
【００４８】
一方、ステップＳ３１を介してコンテンツ提供装置のディスプレイモードがカーソル移動モードに設定されると（Ｓ３９）、メイン制御部６２０は接触センサ制御部６１０にコンテンツ提供装置のディスプレイモードがカーソル移動モードであることを通知し、接触センサ制御部６１０はユーザ入力部６００をモニタリングしてユーザの接触が発生するかどうかを監視する（Ｓ３１０）。
ステップＳ３１０において、ユーザの接触により複数の接触信号が生成されると、接触センサ制御部６１０は複数の接触信号がデータ選択条件を満足するかどうかを確認して（Ｓ３１１）、データ選択条件が満足されたら、接触センサ制御部６１０はステップＳ３７を行う。
一方、データ選択条件が満足されると、複数の接触信号を分析してユーザの接触位置を把握し、ユーザの接触位置に対応するカーソル移動位置を取得してカーソル移動情報を生成する（Ｓ３１２）。
そして、メイン制御部６２０はステップＳ３１２を介して発生したカーソル移動情報に応答してユーザの接触位置に対応する画面の特定位置にカーソルを移動させる（Ｓ３１３）。
【００４９】
ここで、データ選択条件の一実施例としてボタンを用いることがあった。図９において、１つのメニューが選択されると、大体「ＯＫ」または「ＥＮＴＥＲ」として表示されるボタンがメニューを選択するために用いられる。
このように、図１１ないし１５のコンテンツ提供装置は、動作モードにより複数の接触センサＴＳ１〜ＴＳｎ及び接触センサ制御部６１０がスクロール情報またはカーソル移動情報を生成するようにし、これを用いてスクロール動作またはカーソル移動動作を行う。
【００５０】
そして、上記の実施形態では、コンテンツ提供装置が入力装置からスクロール情報とカーソル移動情報を受けてスクロール動作とカーソル移動動作をすべて行うようにしたが、ユーザの必要によっては入力装置がスクロール情報とカーソル移動情報のうちの１つだけを提供し、コンテンツ提供装置もこれに応答してスクロール動作とカーソル移動動作のうちの１つだけを行う。
図１１ないし図１９の接触センサは少なくとも部分的に圧力センサに代替することができる。図１９において、接触がない場合はステップＳ３３及びステップ３１０のループは所定時間後に終了される。
【００５１】
上述では、本発明の好ましい実施形態を参照しながら説明したが、当該技術分野の熟練した当業者は、添付の特許請求範囲に記載された本発明の思想及び領域から逸脱しない範囲で、本発明を多様に修正及び変更することができる。
【図面の簡単な説明】
【００５２】
【図１】従来技術による圧力センサの内部ブロック図である。
【図２】従来技術による接触センサの内部ブロック図である。
【図３】本発明の実施形態による入力装置の内部ブロック図である。
【図４】図３の入力装置の圧力パッドのそれぞれに対する位置値である。
【図５】図３のポインティング情報発生部の動作を説明するための図である。
【図６】図３のポインティング情報発生部の動作を説明するための図である。
【図７】図３の入力装置の動作方法を説明するフロー図である。
【図８】図３の入力装置を備えるコンテンツ提供装置の一実施形態による内部ブロック図である。
【図９】図８のコンテンツ提供装置のディスプレイモードを説明するための図である。
【図１０】図８のコンテンツ提供装置のディスプレイモードを説明するための図である。
【図１１】本発明の一実施形態による図２の接触センサを備える入力装置の外観図である。
【図１２】本発明の一実施形態による図２の接触センサを備える入力装置の外観図である。
【図１３】本発明の一実施形態による図２の接触センサを備える入力装置の外観図である。
【図１４】本発明の一実施形態による図２の接触センサを備える入力装置の外観図である。
【図１５】本発明の一実施形態による図２の接触センサを備える入力装置の外観図である。
【図１６】本発明の他の実施形態による図２の接触センサを備える入力装置の見掛けである。
【図１７】図１１ないし図１５の入力装置を備えるコンテンツ提供装置の一実施形態による内部ブロック図である。
【図１８】図１１ないし図１５の接触センサ制御部の動作をより詳しく説明するための図である。
【図１９】図１７のコンテンツ提供装置の動作をより詳しく説明するためのフロー図である。
【符号の説明】
【００５３】
２００  入力装置
２１０  キーパッド
２２１、２２２、２２３、２２ｎ  圧力データ発生部
２２０  動作感知部
２３０  動作選択部
２４０  設定情報発生部
２５０  ボタン情報発生部
２６０  ポインティング情報発生部
【図１】
2009500740.tif 000003
【図２】
2009500740.tif 000004
【図３】
2009500740.tif 000005
【図４】
2009500740.tif 000006
【図５】
2009500740.tif 000007
【図６】
2009500740.tif 000008
【図７】
2009500740.tif 000009
【図８】
2009500740.tif 000010
【図９】
2009500740.tif 000011
【図１０】
2009500740.tif 000012
【図１１】
2009500740.tif 000013
【図１２】
2009500740.tif 000014
【図１３】
2009500740.tif 000015
【図１４】
2009500740.tif 000016
【図１５】
2009500740.tif 000017
【図１６】
2009500740.tif 000018
【図１７】
2009500740.tif 000019
【図１８】
2009500740.tif 000020
【図１９】
2009500740.tif 000021
【国際調査報告】
2009500740.tif 000022
2009500740.tif 000023